(57)【要約】【課題】  電子機器の使用者を撮影した撮影情報の中から、効率的に目的の人物だけが映っている撮影情報を探し出すことができる撮影情報検索システムを提供する。【解決手段】  記憶媒体と、記憶媒体に記憶された固有情報を読み取る読取装置と、読取装置と接続され、読取装置で読み取った固有情報を受信する電子機器と、撮影装置と、電子機器と撮影装置とに接続された処理装置とからなり、電子機器は、読取装置から受信した固有情報を処理装置に送信する手段を有し、撮影装置は、撮影情報を処理装置に送信する手段を有し、処理装置は、撮影装置から受信した撮影情報を、電子機器から受信した固有情報と関係付け記憶する撮影情報データベースと、撮影情報データベースに記憶された撮影情報の中から特定の撮影情報を選択する際に、入力された固有情報に基づき、該固有情報と関係付けられて撮影情報データベースに記憶されている撮影情報を選択する手段とを有する。【選択図】        図１
2006217336.tif 000002
【特許請求の範囲】
【請求項１】
使用者を特定可能な固有情報が記憶された記憶媒体と、
前記記憶媒体に記憶された固有情報を読み取る読取装置と、
前記読取装置と接続され、前記読取装置で読み取った固有情報を受信する電子機器と、
前記電子機器の使用者を撮影する撮影装置と、
前記電子機器と前記撮影装置とに接続された処理装置とからなり、
前記電子機器は、前記読取装置から受信した固有情報を前記処理装置に送信する手段を有し、
前記撮影装置は、撮影情報を前記処理装置に送信する手段を有し、
前記処理装置は、前記撮影装置から受信した撮影情報を、前記電子機器から受信した固有情報と関係付けて記憶する撮影情報データベースと、前記撮影情報データベースに記憶された撮影情報の中から特定の撮影情報を選択する際に、入力された固有情報に基づいて、該固有情報と関係付けられて前記撮影情報データベースに記憶されている撮影情報を選択する手段と、
を有することを特徴とする撮影情報検索システム。
【請求項２】
前記処理装置が、前記電子機器から固有情報を受信した場合に、前記撮影装置に対して撮影を開始させるための指示信号を送信する手段を有することを特徴とする請求項１記載の撮影情報検索システム。
【請求項３】
前記撮影装置が、前記電子機器から固有情報を受信した場合に撮影を開始することを特徴とする請求項１記載の撮影情報検索システム。
【請求項４】
前記処理装置が、前記撮影情報データベースに記憶された撮影情報を表示する表示手段と、固有情報を入力する入力手段とを有することを特徴とする請求項１記載の撮影情報検索システム。
【請求項５】
前記処理装置が、複数の電子機器及び複数の撮影装置と接続されていることを特徴とする請求項１記載の撮影情報検索システム。
【請求項６】
前記処理装置が、該処理装置に接続されている固有情報入力手段と表示手段とがある電子機器から固有情報を受信して、撮影情報を検索することが可能であることを特徴とする請求項１記載の撮影情報検索システム。
【請求項７】
前記処理装置が複数設けられ、該複数の処理装置に接続されている固有情報入力手段と表示手段とがある電子機器から固有情報を受信して、撮影情報を検索することが可能であることを特徴とする請求項１記載の撮影情報検索システム。
【発明の詳細な説明】
【技術分野】
【０００１】
本発明は、監視カメラなどの撮影装置でパソコンやプリンタなどの電子機器の使用者を撮影した撮影情報の中から、特定の使用者が映っている映像だけを簡単に選び出して表示手段に映し出して見ることができるようにした撮影情報検索システムに関する。
【背景技術】
【０００２】
従来、監視カメラなどの撮影装置を用いて、不審人物を撮影して防犯に活用したり、犯人の特定を行なうために撮影情報を有力な証拠情報として利用するなどしている。
これらの監視カメラを用いたシステムとしては、所定の場所を監視カメラにより随時に撮影して、撮影情報をビデオとして記憶させておき、犯罪や事故などが発生した場合に、それらの記録しておいた撮影情報をディスプレイに映し出して犯行の確認を行なったり、また、予め不審者侵入検出器などを備えておき、不審者が侵入した際に監視カメラを作動させて、不審者を撮影するシステムなどが公知となっている。（例えば、特許文献１乃至５、参照）
また、社内犯罪への対応として、社員が仕事をしているフロアーを監視カメラで撮影するなどして、社員の動向を映像として記録しておき、社内犯罪や不審者の侵入などの状況を後日に調べられるようにするシステムなども知られている。
【特許文献１】特開平９−１９８５７７号公報
【特許文献２】特開平１０−２２２７７３号公報
【特許文献３】特開２００１−３０２１３３号公報
【特許文献４】特開２００４−５５１１号公報
【特許文献５】実開平２−１０８１９２号公報
【０００３】
近年、パソコンなどの電子機器の発達に伴って、重要な秘密情報や個人データなどの重要情報を、パソコンを利用して管理したり、検索できるようにして事務処理の効率が上がるようにしている。
ところが、パソコンなどの電子機器により重要情報を管理することは、事務処理の効率が上がるという反面、これらの電子機器の使用者が簡単に重要情報や大量のデータを盗み出すこともできるという危険性がある。
【０００４】
このようなことから、パソコンなどの電子機器を正当に使用できる社員などが、電子機器を用いて不正行為を行なった場合や、他人に成りすまして電子機器を使用し、不正行為が行なわれた場合には、短時間で疑わしい人物に関する情報を収集して早急な対策を図ることが被害を拡大させないためにも必要といえる。
このような場合には、監視カメラにより随時に撮影しておいた撮影情報をディスプレイに映し出して犯罪行為を確認する方法もあるが、膨大な量の撮影情報の中から疑わしい社員が撮影されている映像を探し出すのは、時間がかかりすぎて効率が悪いという問題がある。
【発明の開示】
【発明が解決しようとする課題】
【０００５】
そこで、本発明は、監視カメラなどの撮影装置により、パソコンなどの電子機器の使用者を撮影した撮影情報の中から、短時間で効率的に目的の人物だけが映っている撮影情報を探し出すことができるようにした撮影情報検索システムを提供する。
【課題を解決するための手段】
【０００６】
本発明の撮影情報検索システムは、使用者を特定可能な固有情報が記憶された記憶媒体と、
前記記憶媒体に記憶された固有情報を読み取る読取装置と、前記読取装置と接続され、前記読取装置で読み取った固有情報を受信する電子機器と、前記電子機器の使用者を撮影する撮影装置と、前記電子機器と前記撮影装置とに接続された処理装置とからなり、前記電子機器は、前記読取装置から受信した固有情報を前記処理装置に送信する手段を有し、  前記撮影装置は、撮影情報を前記処理装置に送信する手段を有し、前記処理装置は、前記撮影装置から受信した撮影情報を、前記電子機器から受信した固有情報と関係付けて記憶する撮影情報データベースと、前記撮影情報データベースに記憶された撮影情報の中から特定の撮影情報を選択する際に、入力された固有情報に基づいて、該固有情報と関係付けられて前記撮影情報データベースに記憶されている撮影情報を選択する手段と、を有することを特徴とする。
【０００７】
また、本発明の撮影情報検索システムは、前記処理装置が、前記電子機器から固有情報を受信した場合に、前記撮影装置に対して撮影を開始させるための指示信号を送信する手段を有することを特徴とする。
【０００８】
更に、本発明の撮影情報検索システムは、前記撮影装置が、前記電子機器から固有情報を受信した場合に撮影を開始することを特徴とする。
【０００９】
また、本発明の撮影情報検索システムは、前記処理装置が、前記撮影情報データベースに記憶された撮影情報を表示する表示手段と、固有情報を入力する入力手段とを有することを特徴とする。
【００１０】
更に、本発明の撮影情報検索システムは、前記処理装置が、複数の電子機器及び複数の撮影装置と接続されていることを特徴とする。
【００１１】
また、本発明の撮影情報検索システムは、前記処理装置が、該処理装置に接続されている固有情報入力手段と表示手段とがある電子機器から固有情報を受信して、撮影情報を検索することが可能であることを特徴とする。
【００１２】
更に、本発明の撮影情報検索システムは、前記処理装置が複数設けられ、該複数の処理装置に接続されている固有情報入力手段と表示手段とがある電子機器から固有情報を受信して、撮影情報を検索することが可能であることを特徴とする。
【発明の効果】
【００１３】
本発明の撮影情報検索システムは、電子機器の使用者を撮影した撮影情報が、使用者の記憶媒体に記憶されている固有情報と関係付けられて記憶されるので、固有情報に基づいて、特定の使用者が映し出されている映像だけを短時間に効率的に探し出すことができるという効果がある。
【００１４】
また、本発明の撮影情報検索システムは、入力手段から入力した固有情報に基づいて選択された撮影情報を、短時間に効率的に表示手段に映し出し確認することができるという効果がある。
【００１５】
更に、本発明の撮影情報検索システムは、前記処理装置が、複数の電子機器及び複数の撮影装置と接続されているので、複数の撮影装置で撮影された撮影情報を処理装置により一元化して管理することができ、多くの電子機器が設けられている場合でも、それらの使用者が撮影されている撮影情報の中から、目的の使用者だけが映っている撮影情報を選択して表示手段に映し出すことができるという効果がある。
【発明を実施するための最良の形態】
【００１６】
以下、本発明の実施形態に係る撮影情報検索システムについて、図面に基づいて詳細に説明する。
図１は、本発明の実施形態に係る撮影情報検索システムの構成の概要を説明する図、図２は、本発明の実施形態に係る撮影情報検索システムで使用するＩＤカードの平面図、図３は、図２のＡ−Ａ線断面図、図４は、ＩＤカードに備えられている非接触ＩＣタグの平面図、図５及び図６は、本発明の実施形態に係る撮影情報検索システムのシステムブロック図、図７は、本発明の実施形態に係る撮影情報検索システムの撮影情報データベースに登録されている情報の一例を示す図、図８及び図９は、本発明の実施形態に係る撮影情報検索システムの処理手順を示すフローチャート図である。
【００１７】
本発明の実施形態に係る撮影情報検索システムは、図１に示すように、入室が管理された部屋１内に、複数のパソコン２ａ、コピー機２ｂ、プリンタ２ｃなどからなる電子機器２が備えられていると共に、それらの電子機器２の使用者６を撮影するための監視カメラ３ａ，３ｂ，３ｃなどからなる撮影装置３が備えられている。
更に、各電子機器２には、読取装置５であるカードリーダ５ａ，５ｂ，５ｃが接続されて備えられている。
このカードリーダ５ａ，５ｂ，５ｃは、使用者６が所持する記憶媒体であるＩＤカード４に記憶された固有情報である社員番号を読み取ることができる機能を有している。
【００１８】
部屋１の出入口には、ＩＤカード４により施錠管理された開閉ドア７が備えられ、部屋１の出入口の外側にＩＤカード４に記憶された固有情報である社員番号を読み取るためのカードリーダ５ｄが備えられている。
更に、部屋１の出入口から入室しようとしている者を撮影するための監視カメラ３ｄが備えられ、誰が入室したのかを撮影できるようにしてある。
そして、図５または図６に示すように、パソコン２ａ、コピー機２ｂ、プリンタ２ｃなどの電子機器２と、カードリーダ５ｄと、監視カメラ３ａ，３ｂ，３ｃ，３ｄなどの撮影装置３と、施錠管理装置１０とは、通信回線８によりコンピュータからなる処理装置９と接続されている。
【００１９】
記憶媒体であるＩＤカード４は、電子機器の使用者を特定することができる固有情報が記憶可能であって、その固有情報を読取装置により読み取ることができればよく、特に限定されるものではないが、図示した記憶媒体では、一例として接触用のＩＣモジュールを有する非接触ＩＣカードを用いた場合が示されている。
このＩＤカード４は、図２乃至図４に示すように、カード基材４ａ，４ｂの内部に非接触ＩＣタグ１１が内蔵されると共に、ＩＣモジュール１２が埋設された構成を有している。
【００２０】
この非接触ＩＣタグ１１は、例えば、非接触データキャリアやＲＦＩＤともいわれ、図４に示すように、プラスチック等の基材１３にコイルパターンからなる送受信手段２０が形成され、当該コイルと容量素子とにより共振回路を形成して一定周波数の電波を受信し送信することができるように構成されている。
また、他の方式として、リーダライタからの搬送波の電磁誘導により電力伝送及びデータ伝送を行うようにしてもよい。
一般的には、１３５ｋＨｚ（中波）、１３．５６ＭＨｚ、２．４５ＧＨｚ（マイクロ波）の周波数帯が使用される。
【００２１】
図示した例の場合、コイルパターンからなる送受信手段１４は、導通部材１５により基材１３の裏面でジャンピング回路を形成してコイル接続端子１６ＣによりＩＣチップ１７の裏面のバンプに接続している。
ＩＣチップ１７には、ＣＰＵからなる制御手段１８と、メモリからなる記憶手段１９とが備えられている。
記憶手段１９には、固有情報である社員番号が登録されている。
【００２２】
図示した例では、容量素子はＩＣチップ１７に内蔵されている。
このような非接触ＩＣタグ１１は、樹脂基材にラミネートしたアルミ箔等の金属箔をフォトエッチングやレジスト印刷後のエッチングによりコイルパターンを形成し、ＩＣチップ１７を装着し、保護用の被覆を設けることにより形成することができる。
その大きさも３０ｍｍ×３０ｍｍ程度以下のサイズとすることができる。
【００２３】
非接触ＩＣタグ１１に使用する樹脂基材１３としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００２４】
これらの非接触ＩＣタグ１１に記録した情報の読み取りは、読取装置であるカードリーダから非接触ＩＣタグ１１に対して共振する呼び出し信号を発信し、非接触ＩＣタグ１１からの応答信号を読み、且つ非接触ＩＣタグ１１のＩＣチップ１７のメモリに記録された情報を読み取ることで行なわれる。
【００２５】
次に、本発明の実施形態に係る撮影情報検索システムのシステム構成を、図５及び図６に基づいて詳細に説明する。
まず、電子機器２に備えられた読取装置５には、送受信手段２１、記憶手段２２、制御手段２３、インターフェース（Ｉ／Ｆ）２４などが備えられている。
送受信手段２１は、ＩＤカード４の送受信手段２０から固有情報である社員番号を非接触により受信する。
記憶手段２２には、各電子機器２を管理するために予め定められた管理番号と制御用プログラムとが搭載されており、送受信手段２１で受信した固有情報である社員番号と管理番号とを、通信線２５を介して電子機器２へ送信するようにプログラムされている。
【００２６】
また、電子機器２には、認証手段２６、記憶手段２７、固有情報送信手段２８、インターフェース（Ｉ／Ｆ）２９，３０、制御手段３１などが備えられている。
認証手段２６は、読取装置５から受信した固有情報である社員番号から、その使用者がその電子機器２を使用することができると認められた者であるか否かの判定を行なう機能を有し、その判定は、記憶手段２７に記憶された照合用の情報との照合処理により、照合一致した場合にその使用者に対して認証があるとの判定結果が下される。
電子機器２は、認証手段２６での認証が認められるまでは、使用できないようにロック状態となっているが、認証処理で認められた場合には、ロック状態を解除させて電子機器２の使用を可能な状態とする。
また、固有情報送信手段２８は、電子機器２のロックが解除されて使用可能な状態となった際に、読取装置５から受信した固有情報である社員番号を、通信回線８を介して処理装置９へ送信する機能を有している。
【００２７】
次に、撮影装置３には、撮影手段３２、撮影情報送信手段３３、記憶手段３４、インターフェース（Ｉ／Ｆ）３５、制御手段３６などが備えられている。
撮影手段３２は、予め定めた特定の電子機器を使用する使用者を撮影することができるように撮影領域が設定されている。
記憶手段３４には、制御用プログラムと、撮影装置３の管理番号とが記憶されている。
撮影情報送信手段３３は、撮影手段３２で撮影された撮影情報と管理番号とを通信回線８を介して処理装置９へ送信する機能を有している。
尚、１台の撮影装置３で撮影可能な電子機器は、１台の電子機器だけでもよいし、また、複数の電子機器が撮影できるように撮影領域を設定してもよい。
【００２８】
処理装置９には、入力手段３７、撮影開始信号送信手段３８、表示手段３９、インターフェース（Ｉ／Ｆ）４０、登録手段４１、撮影情報選択手段４２、記憶手段４３、計時手段４４、認証手段４５、ドア施錠制御手段４６、制御手段４７、撮影情報データベース４８、社員情報データベース４９、撮影装置情報データベース５０、などが備えられている。
社員情報データベース４９には、予め社員情報として、例えば、社員毎に設定された社員番号と、この社員番号に関係付けられて、氏名、役職、所属部署、電話番号、入社日、などの情報が登録されている。
撮影装置情報データベース５０には、各々の撮影装置３で撮影可能な電子機器を特定できるように、各々の撮影装置３の管理番号と、各々の撮影装置３で撮影可能な電子機器の管理番号とを関係付けた情報が予め登録されている。
【００２９】
撮影開始信号送信手段３８は、電子機器２から通信回線１３を介して電子機器の管理番号を受信した際に、撮影装置情報データベース５０において、受信した電子機器の管理番号と関係付けられて登録されている撮影装置３の管理番号を特定し、その特定した管理番号を有する撮影装置３に対して撮影を開始させるための指示信号を送信する機能を有している。
撮影装置３は、通信回線１３を介して処理装置９から撮影を開始させるための指示信号を受信した場合に、電子機器の使用者が被写体となるように撮影を開始させる。
【００３０】
また、登録手段４１は、通信回線８を介して、電子機器２から受信した固有情報である社員番号と、撮影装置３から受信した撮影情報、時刻情報、撮影装置の管理番号とを関係付けて撮影情報データベース４８に登録する機能を有している。
更に、登録手段４１は、電子機器２から受信した固有情報である社員番号に基づいて、社員情報データベース４９に登録されている社員情報の中から予め設定された情報を選択して、撮影情報データベース４８に社員番号と関係付けて登録する機能を有している。
【００３１】
また、処理装置９の計時手段２５は、通信回線８を介し電子機器２から受信した固有情報である社員番号が、何時何分に受信されたものであるのかがわかるようにしてあり、社員番号を受信した時刻と、電子機器２から受信した撮影情報の撮影時刻情報とが一致する状態となるようにして、撮影情報データベース４８に登録される。
つまり、読取装置５で社員番号を読み取ったのと略同じ時刻に撮影された映像には、その社員番号で特定される社員が映るようにしてある。
【００３２】
図７には、撮影情報データベース４８に登録された情報の一例が示されている。
図７に示したように、撮影情報データベース４８に登録される情報としては、固有情報である社員番号に関係付けられて、氏名、所属部署、カメラ番号、カメラの設置場所、撮影時刻、撮影データ、などが登録されている。
したがって、ある特定した社員が撮影された映像だけを選んで見たい場合には、固有情報である社員番号や氏名から、簡単にその社員が撮影された撮影データを表示手段に映し出して見ることができる状態になっている。
【００３３】
更に、認証手段４５は、部屋１に入室する際に使用するカードリーダ５ｄから受信した固有情報である社員番号の認証処理を行なう機能を有し、認証を受けられた場合に、ドア施錠制御手段４６により、開閉ドアの施錠のロックを解除させるための指示信号を、通信回線８を介して施錠管理装置１０に送信させる機能を有する。
【００３４】
また、撮影情報選択手段４２は、固有情報である社員番号に基づいて、特定の社員が映っている撮影情報を表示手段３９に映し出して見る場合に、その閲覧者が、入力手段３７から入力した固有情報である社員番号から、撮影情報データベース４８に登録されているその社員番号と関係付けられて登録されている撮影データを選択して、表示手段３９に映し出させる機能を有している。
【００３５】
また、通信回線８には、図６に示すように、部屋１の出入口の外側に備えられたカードリーダ５ｄと、施錠管理された開閉ドア７の施錠状態を管理する施錠管理装置１０とが接続されている。
カードリーダ５ｄには、送受信手段５１、記憶手段５２、制御手段５３、インターフェース（Ｉ／Ｆ）５４などが備えられている。
送受信手段５１は、ＩＤカード４の送受信手段２０から固有情報である社員番号を非接触により受信する。
記憶手段５２には、カードリーダ５ｄを特定可能な管理番号と、制御用プログラムとが搭載されており、送受信手段５１で受信した固有情報である社員番号と管理番号とを、通信線８を介して処理装置９へ送信するようにプログラムされている。
【００３６】
また、施錠管理装置１０には、開閉ドア７のドアロックの開閉状態を変化させる施錠開閉手段５５、制御手段５６、インターフェース（Ｉ／Ｆ）５７などが備えられている。
施錠開閉手段５５は、処理装置９からドアの施錠のロックを解除させるための指示信号を、通信回線８を介して受信した場合に、ドアロックの解除を行い、入室可能な状態にする。
これにより、社員以外の第三者などのＩＤカード４を所持していない者の入室を防止できるようにしてある。
【００３７】
次に、本発明の実施形態に係る撮影情報検索システムの処理手順を、図７に示すフローチャート図に基づいて説明する。
まず、部屋１内に備えられているパソコン２ａ、コピー機２ｂ、プリンタ２ｃなどの電子機器２の使用者は、部屋１の出入口から入る際に、出入口に備えられているカードリーダ５ｄに対して、所持しているＩＤカード３を近づけることで、カードリーダ５ｄがＩＤカード３に記憶されている固有情報である社員番号を読み取らせる。（ステップＳ１）
カードリーダ５ｄは、読み取った社員番号と、カードリーダ５ｄの管理番号とを、通信回線８を介して処理装置９へ送信する。（ステップＳ２）
【００３８】
そして、処理装置９は、受信した社員番号の認証処理を行なう。（ステップＳ３）
この認証処理では、社員情報データベース４９に登録されている社員情報から、受信した管理番号が入室を認められているか否かの判定が行なわれ、入室の認証が認められている場合に、処理装置９から施錠管理装置１０に対して、通信回線８を介してロック解除を指示する信号が送信される。（ステップＳ４）
これにより施錠管理装置１０のロックが解除されて、開閉ドアからの入室が可能となる。（ステップＳ５）
【００３９】
次に、部屋１に入室した者が、パソコン２ａ、コピー機２ｂ、プリンタ２ｃなどの電子機器２を使用する場合には、まず、電子機器２に備えられている読取装置５に、所持しているＩＤカード３を近づけ、読取装置５がＩＤカード３に記憶されている固有情報である社員番号を読み取らせる。（ステップＳ６）
読取装置５で読み取った社員番号は、電子装置２に送信する。（ステップＳ７）
電子装置で認証処理を受ける。（ステップＳ８）
電子装置２での認証処理で、その社員番号の認証が認められた場合には、固有情報である社員番号と、電子機器の管理番号とを、通信回線８を介して処理装置９へと送信される。（ステップＳ９）
【００４０】
処理装置９は、固有情報である社員番号と、電子機器の管理番号とを受信すると、直ぐに受信した管理番号に基づいて、撮影装置情報データベース５０からその管理番号と関係付けられて登録されている撮影装置を特定し、その撮影装置３に対して、通信回線８を介して撮影開始を指示する撮影開始指示信号を送信する。（ステップＳ１０）
撮影装置３は、処理装置９から撮影開始指示信号を受信したことを受けて、電子装置２の使用者が映るように撮影を開始する。（ステップＳ１１）
撮影装置３で撮影された撮影情報は、通信回線８を介して処理装置９へ送信される。（ステップＳ１２）
【００４１】
そして、処理装置９は、図７に示すように、電子装置２から受信した固有情報である社員番号等の社員情報、撮影装置３の管理番号、その設置場所情報、撮影時刻情報、撮影装置３から受信した撮影情報などを関係付けて、撮影情報データベース４８に登録する。（ステップＳ１３）
通信回線８には、複数の電子機器や撮影装置が接続され、処理装置９には、これらの複数の電子機器や撮影装置が接続されている。
これにより、処理装置９に通信回線８を介して複数の電子機器や撮影装置から情報が送信され、処理装置９の撮影情報データベース４８に順次に固有情報である社員番号と撮影情報とが関係付けられて登録される。
【００４２】
次に、電子機器を用いた事件などが発生した場合において、処理装置９の撮影情報データベース４８に登録された撮影情報に基づいて調査を行なう際の手順を、図８に示すフローチャート図に基づいて説明する。
まず、処理装置９の入力手段３７により、調べたい社員の固有情報である社員番号を入力する。（ステップＳ１４）
処理装置９の撮影情報選択手段４２により、撮影情報データベース４８に登録されている情報の中から、入力された社員番号と関係付けられて登録されている撮影情報を選択する。（ステップＳ１５）
【００４３】
処理装置９の表示手段３９に、その選択された撮影情報を表示させる。（ステップＳ１６）
撮影情報データベース４８に登録されている情報の中に、調べたい社員の社員番号が複数登録されている場合には、一時的に、その社員番号と関係付けられて登録されている全ての映像情報を選択し抽出して記憶手段に記憶させてから、随時に表示手段３９に映し出して見るようにしてもよい。
また、一回分の撮影情報を表示させる際に、撮影情報データベース４８に登録されている個人情報や撮影時刻情報なども表示させることで、誰が、何時、どの電子機器を使用したのかを文字情報と映像情報とで確認することもでき、目的の被写体が映っている映像を短時間で効率的に探し出して見ることができるようにしてある。
【００４４】
また、例えば、異なる場所に複数の事業所を有している大規模な企業などの場合には、各事業所ごとに、固有情報の読取装置と、電子機器と、撮影装置と、撮影情報データベースを備えた処理装置などを設置することで、各事業所ごとに撮影装置で撮影して撮影情報を撮影情報データベースに記憶させて蓄積しておくと共に、それらの複数の処理装置をネットワークで通信可能に接続しておいてもよい。
そして、そのネットワークに接続させた端末を操作することで、その端末から入力させた固有情報に基づいて、複数の事業所に備えられた各撮影情報データベースに記憶させた撮影情報の中から、端末から入力した固有情報に基づいて、その固有情報と関係付けられて各撮影情報データベースに記憶されている撮影情報を選択させ、ネットワークを介してそれらの選択された撮影情報を端末で受信し、端末のディスプレイに撮影情報を映し出して見ることもできる。
【００４５】
このように、本発明の撮影情報検索システムは、処理装置９が複数設けられ、該複数の処理装置９に接続されている固有情報入力手段と表示手段とがある電子機器２から固有情報を受信して、撮影情報を検索することが可能であるようにシステム化することもできる。
【００４６】
また、上記の実施形態の説明では、処理装置９が、電子機器２から固有情報を受信した場合に、撮影装置３に対して撮影を開始させるための指示信号を送信するようにシステム化されているが、他の方法として、撮影装置９が、電子機器２から固有情報を受信した場合に撮影を開始させるようにしてもよい。
この場合には、電子機器２に撮影開始信号送信手段３８を設け、電子機器２から直接に撮影開始信号を撮影装置９に送信することで、撮影装置９の撮影手段３２による撮影を開始させる。
尚、撮影開始信号は、固有情報であってもよい。
【００４７】
また、カードリーダ５ａ，５ｂ，５ｃの代わりにカードリーダライタを用いた場合には、ＩＤカード４から固有情報を読み取った際に、リーダライタから電子機器の管理情報や時 間情報をＩＤカードに記憶することもできる。
また、撮影情報データベース４８は、処理装置９とネットワークで通信可能に接続されたサーバなどの記憶装置に設けるようにしてもよく、処理装置の中にハードウエアと して内蔵されないものでも本発明に含まれる。
また、上記の実施形態では、発明をわかりやすく説明するために、電子機器と撮影装置と処理装置がそれぞれ別の機器、装置として実現するもので説明したが、ハード ウエアとして一体化する構成でも良い。
例えば、電子機器と撮影装置を一体化されている場合や、撮影装置と処理装置が一体化した装置で実現する場合も本発明に含まれることはいうまでもない。
【図面の簡単な説明】
【００４８】
【図１】本発明の実施形態に係る撮影情報検索システムの構成の概要を説明する図である。
【図２】本発明の実施形態に係る撮影情報検索システムで使用するＩＤカードの平面図である。
【図３】図２のＡ−Ａ線断面図である。
【図４】ＩＤカードに備えられている非接触ＩＣタグの平面図である。
【図５】本発明の実施形態に係る撮影情報検索システムのシステムブロック図である。
【図６】本発明の実施形態に係る撮影情報検索システムのシステムブロック図である。
【図７】本発明の実施形態に係る撮影情報検索システムの撮影情報データベースに登録されている情報の一例を示す図である。
【図８】本発明の実施形態に係る撮影情報検索システムの処理手順を示すフローチャート図である。
【図９】本発明の実施形態に係る撮影情報検索システムの処理手順を示すフローチャート図である。
【符号の説明】
【００４９】
１  入室が管理された部屋
２  電子機器
２ａ  パソコン
２ｂ  コピー機
２ｃ  プリンタ
３  撮影装置
３ａ，３ｂ，３ｃ，３ｄ  監視カメラ
４  ＩＤカード
４ａ，４ｂ  カード基材
５  読取装置
５ａ，５ｂ，５ｃ，５ｄ  カードリーダ
６  電子機器の使用者
７  開閉ドア
８  通信回線
９  処理装置
１０  施錠管理装置
１１  非接触ＩＣタグ
１２  ＩＣモジュール
１３  基材
１５  導通部材
１６Ｃ  コイル接続端子
１７  ＩＣチップ
１８，２３，３１，３６，４７，５３  制御手段
１９，２２，２７，３４，４３，５２  記憶手段
２０，２１，５１  送受信手段
２６  認証手段
２８  固有情報送信手段
２９，３０  インターフェース（Ｉ／Ｆ）
３２  撮影手段
３３  撮影情報送信手段
３７  入力手段
３８  撮影開始信号送信手段
３９  表示手段
４１  登録手段
４２  撮影情報選択手段
４６  ドア施錠制御手段
４８  撮影情報データベース
４９  社員情報データベース
５０  撮影装置情報データベース
５５  施錠開閉手段
【図１】
2006217336.tif 000003
【図２】
2006217336.tif 000004
【図３】
2006217336.tif 000005
【図４】
2006217336.tif 000006
【図５】
2006217336.tif 000007
【図６】
2006217336.tif 000008
【図７】
2006217336.tif 000009
【図８】
2006217336.tif 000010
【図９】
2006217336.tif 000011